(57)【特許請求の範囲】
【請求項１】
被写体の画像を撮像する撮像手段と、前記被写体までの距離を測定する測距手段と、前記距離に応じて光量制御を行なうストロボと、前記被写体までの距離と前記ストロボの配光分布との関係を補正テーブルとして記録する補正テーブル記録手段と、前記撮像手段によって撮像された撮像データを前記補正テーブルにしたがって補正する撮像データ補正手段と、を有する撮像装置において、
所定の表示情報を表示する表示手段と、
前記被写体までの距離とレンズ焦点距離を取得し、当該距離における領域が前記補正を行なった場合に有効／非有効であるかを判定し、非有効である場合、前記表示手段に警告情報を出力するように制御する制御手段と、
を備えたことを特徴とする撮像装置。
【請求項２】
前記制御手段は、前記被写体までの距離とレンズ焦点距離を取得し、当該距離における領域が前記補正を行なった場合に有効／非有効であるかを判定し、非有効である場合、前記レンズ焦点距離を前記補正が有効な領域まで変化させることを特徴とする請求項１に記載の撮像装置。
【請求項３】
さらに、前記被写体の縦、横の少なくともいずれか一方のサイズを入力する入力手段を備え、
前記制御手段は、前記被写体サイズを取得し、当該被写体サイズから、前記撮像手段の一定領域に結像するためのレンズ焦点距離と被写体までの距離を演算し、当該演算値が実際のレンズ焦点距離と被写体までの距離と不一致の場合、前記表示手段を介して使用者に対して撮影距離の変更を促し、レンズ焦点距離を補正が有効な領域まで変化させることを特徴とする請求項１または２に記載の撮像装置。
【請求項４】
前記制御手段は、レンズ焦点距離を補正が有効な領域まで変化させる場合、レンズ焦点距離と撮影距離の組み合わせのうち、レンズ焦点距離が最も短い値を選択することを特徴とする請求項３に記載の撮像装置。
【請求項５】
前記被写体サイズは、Ａ系列、Ｂ系列の一部であることを特徴とする請求項３または４に記載の撮像装置。
【請求項６】
前記表示手段は、前記撮像手段で撮像された画像を表示する機能を備え、
前記制御手段は、前記撮像手段の一定領域を前記表示手段に表示することを特徴とする請求項３、４または５に記載の撮像装置。
【請求項７】
前記撮像手段の一定領域は、画面枠であり、前記制御手段は、入力サイズの縦／横のいずれかが前記画面枠と略重なり、他方が画面の中にあるように制御することを特徴とする請求項６に記載の撮像装置。
【請求項８】
前記制御手段は、演算結果の被写体距離と実際の被写体距離とを比較し、両者の距離が一致したときに使用者に適正状態であることを知らせることを特徴とする請求項３に記載の撮像装置。
【請求項９】
前記制御手段は、演算結果の被写体距離と実際の被写体距離とを比較し、両者の距離が不一致の場合、当該距離のずれた方向を使用者に知らせることを特徴とする請求項３に記載の撮像装置。
【発明の詳細な説明】
【０００１】
【発明の属する技術分野】
本発明は、ストロボ撮影時、特に近距離における撮影時に画像を補正するデジタルカメラなどの撮像装置に関する。
【０００２】
【従来の技術】
デジタル式の撮像装置であるデジタルカメラにおいて、ストロボを内蔵したものが普及している。デジタルカメラによって被写体を比較的近距離からストロボ撮影された画像は、オーバ露光になる傾向になるので、たとえば、特開２０００−２７８５９８号公報に開示されているように、オーバ露光の傾向にある画像データを補正し、適正な画像を取得することが行なわれている。
【０００３】
すなわち、特開２０００−２７８５９８号公報に開示されているデジタルカメラにおいては、基準となる変換特性カーブ（γ補正に使用されるカーブ）における入力信号の輝度の最小値にシフトさせた変換カーブに対応するγ補正テーブルを作成する。そして、オーバ露光の傾向がある画像データを作成された変換カーブにより処理することによって出力される画像信号の偏りを補正している。
【０００４】
また、デジタルカメラのストロボ撮影には、オーバ露光の他に、撮影された画像において配光ムラが生じることが知られている。配光ムラは、デジタルカメラにおいて光学系とストロボとが離れて配置されるために起こる現象であって、被写体とデジタルカメラとの距離が近いほど顕著になる。
【０００５】
また、デジタルカメラによって近距離から被写体をストロボ撮影を行なった場合、デジタルカメラの光学系のシェーディングによって画像周辺の光量が低下することがある。このような場合、撮影された画像の周辺部分が暗くなったり、あるいは画面の明るさが不均一になるといった現象が発生し、画像の品質を低下させるおそれがある。そして、画像周辺の暗さを解消するためにストロボの発光量を高めると、撮影された画面の中心部分が白く映る（白飛び）現象が発生し、画質低下を招来させてしまうことになる。
【０００６】
そこで、このような画質低下を回避するために、被写体までの距離とストロボの配光分布の関係を記録したテーブルを用意し、撮像素子で撮像された撮像データをそのテーブルにしたがって補正して良好な画像を出力することが行なわれている。
【０００７】
【発明が解決しようとする課題】
しかしながら、上記に示されるように、従来のストロボ撮影における補正処理を行なう場合に、配光分布の光量差が拡大すると、ワイド撮影の場合、輝度レベル差が拡大し、効果的な補正が行なわれなくなり、その結果、撮影ミスとなってしまうという問題点があった。
【０００８】
本発明は、上記に鑑みてなされたものであって、ストロボ撮影において撮影データの補正処理を行なって画像出力を行なう際に、当該補正が補正外（非有効）であったときに使用者に報知し、撮影ミスの発生を回避することを第１の目的とする。
【０００９】
また、ストロボ撮影において、被写体サイズが入力された場合、その被写体サイズに適した撮影状態を提供することを第２の目的とする。
【００１０】
【課題を解決するための手段】
上記の目的を達成するために、請求項１にかかる撮像装置にあっては、被写体の画像を撮像する撮像手段と、前記被写体までの距離を測定する測距手段と、前記距離に応じて光量制御を行なうストロボと、前記被写体までの距離と前記ストロボの配光分布との関係を補正テーブルとして記録する補正テーブル記録手段と、前記撮像手段によって撮像された撮像データを前記補正テーブルにしたがって補正する撮像データ補正手段と、を有する撮像装置において、所定の表示情報を表示する表示手段と、前記被写体までの距離とレンズ焦点距離を取得し、当該距離における領域が前記補正を行なった場合に有効／非有効であるかを判定し、非有効である場合、前記表示手段に警告情報を出力するように制御する制御手段と、を備えたものである。
【００１１】
この発明によれば、ストロボ撮影において、被写体までの距離とレンズ焦点距離を取得し、当該距離における領域が、補正テーブルにしたがって撮像データの補正を行なった場合に有効／非有効であるかを判定し、非有効である場合、表示手段に警告情報を出力することにより、使用者にその撮影状態が良好に行なわれないことを認識させることが可能になる。
【００１２】
また、請求項２にかかる撮像装置にあっては、前記制御手段は、前記被写体までの距離とレンズ焦点距離を取得し、当該距離における領域が前記補正を行なった場合に有効／非有効であるかを判定し、非有効である場合、前記レンズ焦点距離を前記補正が有効な領域まで変化させるものである。
【００１３】
この発明によれば、ストロボ撮影において、被写体までの距離とレンズ焦点距離を取得し、当該距離における領域が、補正テーブルにしたがって撮像データの補正を行なった場合に有効／非有効であるかを判定し、非有効である場合、レンズ焦点距離を補正が有効な領域まで変化させることにより、補正効果のある領域での撮影が可能になる。
【００１４】
また、請求項３にかかる撮像装置にあっては、さらに、前記被写体の縦、横の少なくともいずれか一方のサイズを入力する入力手段を備え、前記制御手段は、前記被写体サイズを取得し、当該被写体サイズから、前記撮像手段の一定領域に結像するためのレンズ焦点距離と被写体までの距離を演算し、当該演算値が実際のレンズ焦点距離と被写体までの距離と不一致の場合、前記表示手段を介して使用者に対して撮影距離の変更を促し、レンズ焦点距離を補正が有効な領域まで変化させるものである。
【００１５】
この発明によれば、使用者が事前に被写体サイズを入力し、その被写体サイズを基に、撮像手段の一定領域に結像するためのレンズ焦点距離と被写体までの距離を演算し、当該演算値が実際のレンズ焦点距離と被写体までの距離と不一致の場合、表示手段を介して使用者に対して撮影距離の変更を促し、レンズ焦点距離を補正が有効な領域まで変化させることにより、使用者に対し、ストロボ制御精度、配光角、手ぶれ状態などを考慮した撮影状態を提供することが可能になる。
【００１６】
また、請求項４にかかる撮像装置にあっては、前記制御手段は、レンズ焦点距離を補正が有効な領域まで変化させる場合、レンズ焦点距離と撮影距離の組み合わせのうち、レンズ焦点距離が最も短い値を選択するものである。
【００１７】
この発明によれば、レンズ焦点距離を補正が有効な領域まで変化させる場合、レンズ焦点距離と撮影距離の組み合わせのうち、レンズ焦点距離が最も短い値を選択することにより、手ぶれの発生を少なくさせることが可能になる。
【００１８】
また、請求項５にかかる撮像装置にあっては、前記被写体サイズは、Ａ系列、Ｂ系列の一部である。
【００１９】
この発明によれば、被写体サイズの入力を、Ａ系列、Ｂ系列の一部とすることにより、たとえばＡ４と入力することができるユーザインターフェースが実現可能となる。
【００２０】
また、請求項６にかかる撮像装置にあっては、前記表示手段は、前記撮像手段で撮像された画像を表示する機能を備え、前記制御手段は、前記撮像手段の一定領域を前記表示手段に表示するものである。
【００２１】
この発明によれば、撮像手段の一定領域を表示手段に表示することにより、被写体を表示手段の画面上で構図を決める際に、予め入力された被写体サイズを画面に表示された一定領域に被写体を合わせることが可能になる。
【００２２】
また、請求項７にかかる撮像装置にあっては、前記撮像手段の一定領域は、画面枠であり、前記制御手段は、入力サイズの縦／横のいずれかが前記画面枠と略重なり、他方が画面の中にあるように制御するものである。
【００２３】
この発明によれば、入力サイズの縦／横のいずれかが画面枠と略重なり、他方が画面の中にあるように制御することにより、上記一定領域の表示を画面枠で行なうことが可能になる。
【００２４】
また、請求項８にかかる撮像装置にあっては、前記制御手段は、演算結果の被写体距離と実際の被写体距離とを比較し、両者の距離が一致したときに使用者に適正状態であることを知らせるものである。
【００２５】
この発明によれば、演算結果の被写体距離と実際の被写体距離とを比較し、両者の距離が一致したときに使用者に適正状態であることを知らせることにより、表示手段の一定領域に被写体を合わせる際に距離情報から適正状態になったことを知らせることが可能になる。
【００２６】
また、請求項９にかかる撮像装置にあっては、前記制御手段は、演算結果の被写体距離と実際の被写体距離とを比較し、両者の距離が不一致の場合、当該距離のずれた方向を使用者に知らせるものである。
【００２７】
この発明によれば、演算結果の被写体距離と実際の被写体距離とを比較し、両者の距離が不一致の場合、当該距離のずれた方向を使用者に知らせることにより、表示手段の一定領域に被写体を合わせる際に距離情報からカメラをどのように動かしたらよいかを伝えることが可能になる。
【００２８】
【発明の実施の形態】
以下、本発明にかかる撮像装置の好適な実施の形態について添付図面を参照し、詳細に説明する。なお、本発明はこの実施の形態に限定されるものではない。
【００２９】
図１は、本発明の実施の形態にかかる撮像装置の構成を示すブロック図である。この撮像装置は、ストロボ１０８を備えるデジタル方式のカメラである。すなわち、この撮像装置は、被写体を撮像するＣＣＤ１０２と、ストロボ１０８を用いた撮影時にＣＣＤ１０２によって撮像されたデータ（撮像データ）を補正するための補正テーブルを記録したＥＥＰＲＯＭ１０７と、ＣＣＤ１０２によって撮像された撮像データを、ＥＥＰＲＯＭ１０７に記録されている補正テーブルによって補正するフロントエンド処理部１０３、ＤＳＰ・ＪＰＥＧ部１０４、ＣＰＵ１０９を備えている。さらに、この撮像装置には使用者に対して各種のメッセージや装置状態などを示す表示部１２０が設けられている。
【００３０】
フロントエンド処理部１０３は、ＣＣＤ（電荷結合素子）１０２から入力するアナログの撮像データをサンプル・ホールドするＣＤＳ（相関２重サンプリング）１１０、撮像データの振幅の変動を検出し、出力信号を一定に保つように増幅器の利得（ゲイン）を自動的に制御するＡＧＣ１１１、アナログ信号をデジタル信号に変換するＡ／Ｄ変換器（ＡＤＣ）１１２を備えている。
【００３１】
ＣＰＵ１０９は、図１に記載の電気的な構成要素のすべてを所定のプログラムにしたがって制御しており、ホワイトバランスの設定、ＡＥ（Ａｕｔｏ  Ｅｘｐｏｓｅ）、ＡＦ（Ａｕｔｏ  Ｆｏｃｕｓ）の制御、フロントエンド処理部１０３やＤＳＰ・ＪＰＥＧ部１０４で行なわれる演算のパラメータを設定する。
【００３２】
また、この実施の形態では、ＣＰＵ１０９が、ＣＣＤ１０２が出力する撮像データにおける評価値（周波数特性）を取得する。そして、取得した評価値からＡＦ動作のための自動フォーカス部１０１を駆動した際に発生するパルスの数から自動フォーカス部１０１と被写体との距離を測定するものとする。
【００３３】
また、図１に示した撮像装置は、レンズ１００、レンズ１００を介して入力した像をフォーカシングする自動フォーカス部１０１を備えている。また、図１に示した構成は、ＡＤＣ１１２によってデジタルデータに変換された撮像データを記録するＳＤＲＡＭ１０５と、ＤＳＰ・ＪＰＥＧ部１０４によって処理された撮像データが記録されるメモリカード１０６とを備えている。
【００３４】
表示部１２０は、デジタルカメラにおいてモニター表示を行なうＬＣＤ画面であってもよく、あるいは装置上部などに設けられ、装置の状態を示す液晶表示部であってもよい。
【００３５】
つぎに、以上のように構成された撮像装置の動作について説明する。ＣＣＤ１０２が出力したアナログの撮像データは、フロントエンド処理部１０３においてデジタルデータ（Ｒａｗデータ）に変換され、ＳＤＲＡＭ１０５に保存される。このとき、デジタルの撮像データは、アナログの撮像データと同様に配列されている。
【００３６】
ＤＳＰ・ＪＰＥＧ部１０４は、ＳＤＲＡＭ１０５に保存された撮像データを読み出してＤＳＰ処理することによって輝度信号（Ｙ）、色信号（Ｃ）を生成する。このようなＤＳＰ処理は、カメラ信号処理とも呼ばれている。また、ＪＰＥＧ処理を施して圧縮する。圧縮された撮像データは、メモリカード１０６に記録される。
【００３７】
上述した撮像装置は、ストロボ１０８を使った撮影（ストロボ撮影）を行なう場合、ＥＥＰＲＯＭ１０７に記録された補正テーブルに基づいて撮像データを補正する。また、撮像データの補正は、フロントエンド処理部１０３のＡＧＣ１１１、またはＤＳＰ・ＪＰＥＧ部１０４で行なうことが可能である。
【００３８】
つぎに、ＤＳＰ・ＪＰＥＧ部１０４で撮像データを補正するときの補正係数テーブルについて説明する。図２は、ＤＳＰ・ＪＰＥＧ部１０４において、カメラ信号処理を行なう構成を示すブロック図である。ＣＣＤ１０２のＲａｗ  ｄａｔａ（Ｒ，Ｇｒ，Ｇｂ，Ｂの４種類）は、ＤＳＰ・ＪＰＥＧ部１０４に入力されると、マルチプレクサ５０２で４色の信号毎に分岐され、可変ゲインアンプ５０３ａ〜５０３ｄに送られる。この可変ゲインアンプ５０３ａ〜５０３ｄは、各補正やホワイトバランス（ＷＢ）に使用される。
【００３９】
可変ゲインアンプ５０３ａ〜５０３ｄのゲイン値は、ＣＰＵ１０９で制御される。ＡＧＣ１１１のゲイン量を変化させる場合は、ＣＣＤ全画素分のゲイン値テーブルを使用する。テーブルはＥＥＰＲＯＭ１０７に記録されている。また、評価生成ブロック５０１もＤＰＳ・ＪＰＥＧ部１０４内にあり、たとえばΣＲ，ΣＧｒ，ΣＧｂ，ΣＢの４つの積算値を演算して評価値を生成する。ＣＰＵ１０９は、生成された評価値によって画像の状態を判断し、ホワイトバランスや各補正もできるように構成されている。可変ゲインアンプ５０３ａ〜５０３ｄを通った信号は、次段の４行×３列のマトリックス５０４でＲＧＢ信号に変換され、輝度信号、色信号の処理部に送られる。
【００４０】
図３は、ストロボ撮影時の光量分布を示す説明図である。図３（ａ）は紙などの一様な面を持つ被写体において撮影された水平方向のある１ライン（ラインＬ）の輝度分布を示し、（ｂ）はラインＬによって撮影された画像におけるラインＬに沿う方向Ｈと輝度信号Ｙとの関係（光量分布）を示している。図示するように、特に近距離からストロボ撮影を行なった場合、光量は、ラインＬの中央付近に比べて両端部分が低下する。このような特性は、撮像光学系とストロボとの距離が離れているほど顕著となる。すなわち、近距離での撮影では、周辺光量が落ちると共に、撮像光学系とストロボとの位置が離れている影響が大きくなり、中心から一様に分布しなくなる。
【００４１】
ＡＧＣ１１１によって補正を行なう場合の補正テーブルは、デジタルカメラの図３（ｂ）に示した特性の反対の特性を示すゲイン量の補正テーブルとして設定される。また、ＤＳＰ・ＪＰＥＧ部１０４で補正を行なう場合には、図３（ｂ）に示した特性の反対の特性を示すゲインアンプの補正係数テーブルとして設定される。なお、光量分布の特性は、デジタルカメラによって固有で既知である。
【００４２】
図４は、ＡＧＣ１１１によって撮像データを補正する場合に使用される補正テーブルを示す説明図である。ｋ（１，１）・・・ｋ（ｈ，ｖ）の各データは、補正テーブルに含まれる各補正データであって、ＣＣＤ１０２が備える画素のそれぞれに対応している。たとえばＣＣＤ１０２が３００万画素を持つとすると、ｈ：２０４８、ｖ：１５３６まで設定すれば、ＣＣＤ１０２の全画素を個々に補正することができる補正テーブルが設定できる。なお、全画素に対して補正を行なってもよいし、処理速度向上のため計算量を減らす場合は、ｈ，ｖの数を少なくすればよい。
【００４３】
ＡＧＣ１１１において撮像データを補正する場合、ＣＰＵ１０９は、図４に示した補正テーブルのｋ（１，１）・・・ｋ（ｈ，ｖ）の各データをＥＥＰＲＯＭ１０７から読み出し、ＡＧＣ１１１に出力する。ＡＧＣ１１１は、通常のＡＥ動作時と同様にして求められた各画素のゲイン値をＣＰＵ１０９から入力した補正データによって補正しながらゲインコントロールの処理を行なう。
【００４４】
つぎに、ＡＧＣ１１１において撮像データを補正する場合の処理を、図５に示すフローチャートを参照し、説明する。デジタルカメラは、まず、ＡＦ動作時に発生するパルス数を用いて被写体までの距離に関する情報を取得する（ステップＳ１１）。続いて、被写体をストロボ撮影し（ステップＳ１２）、ＣＣＤ１０２から出力された信号（撮像データ）をＣＤＳ１１０によってＣＤＳ処理（サンプル・ホールド）する（ステップＳ１３）。
【００４５】
続いて、ＣＰＵ１０９は、ＥＥＰＲＯＭ１０７に記録されている補正テーブルから補正データを読み出し、ＡＧＣ１１にセットする（ステップＳ１７）。ＡＧＣ１１１は、セットされた補正データによってゲイン値を変更しながらＡＧＣ処理を行なう（ステップＳ１４）。ＡＧＣ処理された撮像データは、ＡＤＣ１１２によってデジタルデータに変換され（ステップＳ１５）、さらにカメラ信号処理される（ステップＳ１６）。
【００４６】
図６は、ＤＳＰ・ＪＰＥＧ部１０４において撮像データを補正する場合の処理を示すフローチャートである。デジタルカメラは、まず、ＡＦ動作時に発生するパルス数を用いて被写体までの距離に関する情報を取得する（ステップＳ２１）。続いて、被写体をストロボ撮影し（ステップＳ２２）、ＣＣＤ１０２から出力された信号（撮像データ）をＣＤＳ１１０によってＣＤＳ処理（サンプル・ホールド）する（ステップＳ２３）。
【００４７】
ＣＤＳ処理された撮像データは、ＡＧＣ１１１に出力され、ＡＧＣ１１１においてゲイン値が制御される（ステップＳ２４）。続いて、ＡＤＣ１１２によってデジタルデータに変換され（ステップＳ２５）、さらにカメラ信号処理される（ステップＳ２６）。このとき、ＣＣＤ１０２の画素別に設定される可変ゲインアンプの係数をＣＰＵ１０９からセットする（ステップＳ２７）。
【００４８】
上記図５および図６の処理はストロボ撮影の場合においてのみ行なわれる。また、図４に示す補正テーブルを複数用意し、外付けＡＥセンサなどで得られた距離情報に応じて使い分けてもよい。この場合、距離に対する使用テーブルを選択するための閾値を設けることで実現する。距離に関連付けられた補正テーブルを複数有する場合、距離情報から線形補間を行ない、補正テーブルを生成し、補正に使用する。
【００４９】
文字などを鮮明にし、記録データ量を少なくする目的から、撮影した画像をＣＰＵ１０９で２値化処理する文字モードの場合、正しく２値化できる閾値があればよいので、自然画像に対してテーブルの分解能を粗くすることができる。この場合、図４に示す補正テーブルのｋ（ｍ，ｎ）自体の分解能（ビット数）を落としてもよいし、テーブルのｈ，ｖの数を減らしても同様の効果が得られる。
【００５０】
つぎに、ある撮影距離におけるストロボ撮影の配光分布の状態と、レンズ焦点距離ワイド（Ｗ）とテレ（Ｔ）の撮影画面の状態を図７に示す。ここでは、ラインに沿う方向Ｈと光量分布との関係をワイド画面とテレ画面に対応させて示している。図において、符号１５０Ｔはテレ画面、符号１５０Ｗはワイド画面である。図７（ａ）は光量のピークが中央部分、（ｂ）は（ａ）の状態より近距離の撮影距離での状態であり、光量のピークが端部側にそれぞれ分布している状態を示している。
【００５１】
図８は、図７（ａ）、（ｂ）それぞれに対応し、ワイド画面１５０Ｗとテレ画面１５０Ｔに対応した水平一ラインの輝度信号Ｙとの関係を示すグラフである。なお、図中、ワイドをＷ、テレをＴと略記する。ここでは、図示のごとく、（ａ）において、ワイドＷではＹレベルの差が大きく、テレＴではＹレベルの差が小さくなる。他方、（ｂ）ではワイドＷのＹレベル差が拡大し、補正しきれなくなる。また、テレＴでもＹレベル差は拡大するが、補正可能である。
【００５２】
図９は、一定サイズ（Ｈ１、Ｈ２、Ｈ３・・）を画面いっぱいに撮影する場合におけるレンズ焦点距離（Ｗ、Ｔ）と撮影距離（Ｌ１〜Ｌ３、Ｌ１' 〜Ｌ３'）の関係を示す説明図であり、上側がワイド、下側がテレを示す。図において、符号２０１Ｗはワイド撮影時のＣＣＤ１０２の露光エリア、符号２０１Ｔはテレ撮影時のＣＣＤ１０２の露光エリアを示している。
【００５３】
すなわち、上記図７〜図９に示すように、ストロボ撮影においては、コントロール精度、配光角の関係により、一定の近距離、焦点距離まで対応することができない。また、一定距離の被写体に対し、ワイド撮影の場合は配光の変化が大きく、前述した補正処理を行なうことが難しくなる。反対に、テレ撮影はぶれやすく、被写界深度が浅くなる。
【００５４】
したがって、一定サイズの被写体を画面いっぱいに撮影を行なおうとすると、ワイドの場合、被写体距離が短くなり、発光制御が難しくなると共に、反対に、テレ撮影の方はぶれが生じやすい。
【００５５】
被写体サイズとその被写体の画面上でのサイズを設定することにより、レンズ焦点距離と撮影距離の関係が決定される。すなわち、被写体サイズとその被写体の画面上でのサイズが決まり、その上でたとえばレンズ焦点距離を決めれば撮影距離が決定する。
【００５６】
そこで、この実施の形態では、これらストロボ撮影の特性を考慮し、補正外になった場合に使用者にその旨を知らせて警告すると共に、補正可能な領域へガイドするように促し、撮影ミスを回避する。また、あらかじめ被写体サイズが限定（使用者の入力）された場合、その被写体に最適になるように制御する。以下、フローチャートを参照して説明する。
【００５７】
なお、この場合における補正とは、前述したように、被写体までの距離とストロボ１０８の関係をＥＥＰＲＯＭ１０７に補正テーブルとして記録しておき、ＣＣＤ１０２からの出力信号を上記補正カーブにしたがって補正することである。
【００５８】
図１０は、本発明の実施の形態にかかる第１の動作例を示すフローチャートである。図において、まず、撮影距離を取得し（ステップＳ３１）、レンズ焦点距離を取得する（ステップＳ３２）。続いて、上記撮影距離およびレンズ焦点距離から、当該撮影における上記補正が有効であるか否かを判断する（ステップＳ３３）。ここで、補正が有効と判断したならば、この撮影距離・レンズ焦点距離に対応するＥＥＰＲＯＭ１０７に記憶されている補正テーブルを読み出し、補正による撮影動作を実行する（ステップＳ３４）。一方、ステップＳ３３において、補正が有効でないと判断した場合、警告動作を行なう（ステップＳ３５）。この警告動作は、たとえば、表示部１２０に補正外になった旨を警告表示（メッセージ、あるいは警告マークなど）で知らせる。
【００５９】
図１１は、本発明の実施の形態にかかる第２の動作例を示すフローチャートである。図において、まず、前述の図１０の動作と同様に、撮影距離およびレンズ焦点距離を取得し（ステップＳ４１、Ｓ４２）、この撮影距離およびレンズ焦点距離から、当該撮影における上記補正が有効であるか否かを判断する（ステップＳ４３）。ここで、補正が有効と判断したならば、この撮影距離・レンズ焦点距離に対応するＥＥＰＲＯＭ１０７に記憶されている補正テーブルを読み出し、補正による撮影動作を実行する（ステップＳ４４）。一方、ステップＳ４３において、補正が有効でないと判断した場合、補正効果が得られる領域までズーム変化させ、レンズ焦点距離を変更する（ステップＳ４５）。
【００６０】
図１２は、本発明の実施の形態にかかる第３の動作例を示すフローチャートである。図において、まず、被写体サイズの入力情報を取得する（ステップＳ５１）。続いて、前述と同様に、撮影距離およびレンズ焦点距離を取得し（ステップＳ５２、Ｓ５３）、この撮影距離およびレンズ焦点距離から、当該撮影における上記補正が有効であるか否かを判断する（ステップＳ５４）。ここで、補正が有効と判断したならば、さらに取得した被写体サイズの入力情報が撮像素子（ＣＣＤ１０２）の一定領域に結像しているか否かを判断する（ステップＳ５５）。ここで、被写体サイズの入力情報が撮像素子の一定領域に結像していると判断したならば、前述のように補正テーブルによる補正動作を実行する（ステップＳ５６）。
【００６１】
一方、ステップＳ５４において、補正が有効でないと判断した場合、補正効果が得られる領域までズーム変化させ、レンズ焦点距離を変更する（ステップＳ５７）。また、ステップＳ５５において、被写体サイズの入力情報が撮像素子の一定領域に結像していないと判断した場合、表示部１２０を介し、使用者へ撮影距離を変更する方向を指示する（ステップＳ５８）。
【００６２】
図１３は、本発明の実施の形態にかかる第４の動作例を示すフローチャートである。図において、まず、被写体サイズの入力情報を取得する（ステップＳ６１）。続いて、補正が有効な条件下で、入力サイズが撮像素子（ＣＣＤ１０２）の一定領域に結像するレンズ焦点距離と撮影距離の組み合わせの中で、レンズ焦点距離が最も短いものを選択し（ステップＳ６２）、その選択されたレンズ焦点距離に変更する（ステップＳ６３）。
【００６３】
続いて、撮影距離を取得し（ステップＳ６４）、演算した撮影距離と実際の撮影距離とが同じであるか否かを判断する（ステップＳ６５）。ここで、両者の撮影距離が同じであると判断した場合には、前述のように補正テーブルによる補正動作を実行する（ステップＳ６６）。一方、ステップＳ６５において、両者の撮影距離が異なる場合には、表示部１２０を介し、使用者へ撮影距離を変更する方向を指示する（ステップＳ６７）。
【００６４】
つぎに、図１における表示部１２０はＣＣＤ１０２で取得した撮像画像に信号処理した後、その撮像画像をモニタ表示可能な構成とした場合、ＣＣＤ１０２の一定領域をこのモニタに表示する例について説明する。たとえば、図１４に示すように、（ｂ）のように適正な被写体サイズに対し、（ａ）に示すように被写体サイズが小さい場合、あるいは（ｃ）に示すように被写体サイズが大きい場合に、警告表示を行ない、適正ではないことを使用者に知らせる。
【００６５】
このように、一定領域の表示を画面枠で行なう場合、入力サイズの縦横のいずれかが略画面枠と重なり、他方が画面の中にあるように構成することにより、撮像画像表示における制御が簡略化され、表示画面を簡素することができる。また、演算した被写体距離と実際の被写体距離を比較し、双方の距離が一致したとき使用者に表示することにより、すなわち、一定領域に被写体を合わせる場合、距離情報から適正状態になったことを使用者に知らせることにより、撮影時における操作性が向上する。また、一定領域に被写体を合わせる際に、距離情報からカメラを動かす方向（被写体から離すのか、近付けるのか）を使用者に伝えることにより、さらに操作性が向上する。
【００６６】
【発明の効果】
以上説明したように、本発明にかかる撮像装置（請求項１）によれば、ストロボ撮影において、被写体までの距離とレンズ焦点距離を取得し、当該距離における領域が、補正テーブルにしたがって撮像データの補正を行なった場合に有効／非有効であるかを判定し、非有効（補正外）である場合、表示手段に警告情報を出力することにより、使用者にその撮影状態が良好に行なわれないことを認識させることが可能になるため、その状態で撮影を続行した場合の撮影ミスを未然に防止することができる。
【００６７】
また、本発明にかかる撮像装置（請求項２）によれば、ストロボ撮影において、被写体までの距離とレンズ焦点距離を取得し、当該距離における領域が、補正テーブルにしたがって撮像データの補正を行なった場合に有効／非有効であるかを判定し、非有効である場合、レンズ焦点距離を補正が有効な領域まで変化させることにより、補正効果のある領域での撮影が可能になるため、撮影ミスにつながる状態から補正可能な撮影状態に移行することができる。
【００６８】
また、本発明にかかる撮像装置（請求項３）によれば、使用者が事前に被写体サイズを入力し、その被写体サイズを基に、撮像手段の一定領域に結像するためのレンズ焦点距離と被写体までの距離を演算し、当該演算値が実際のレンズ焦点距離と被写体までの距離と不一致の場合、表示手段を介して使用者に対して撮影距離の変更を促し、レンズ焦点距離を補正が有効な領域まで変化させることにより、使用者に対し、ストロボ制御精度、配光角、手ぶれ状態などを考慮した撮影状態を提供することが可能になるため、最適な状態で撮影することができる。
【００６９】
また、本発明にかかる撮像装置（請求項４）によれば、レンズ焦点距離を補正が有効な領域まで変化させる場合、レンズ焦点距離と撮影距離の組み合わせのうち、レンズ焦点距離が最も短い値を選択するので、手ぶれの少ない撮影を行なうことができる。
【００７０】
また、本発明にかかる撮像装置（請求項５）によれば、被写体サイズの入力を、Ａ系列、Ｂ系列の一部とすることにより、たとえばＡ４と入力することができるユーザインターフェースが実現可能となるため、ドキュメント撮影に対する操作性を向上させることができる。
【００７１】
また、本発明にかかる撮像装置（請求項６）によれば、撮像手段の一定領域を表示手段に表示することにより、被写体を表示手段の画面上で構図を決める際に、予め入力された被写体サイズを画面に表示された一定領域に被写体を合わせることが可能になるため、最適な撮影状態を提供することができる。
【００７２】
また、本発明にかかる撮像装置（請求項７）によれば、入力サイズの縦／横のいずれかが画面枠と略重なり、他方が画面の中にあるように制御することにより、上記一定領域の表示を画面枠で行なうことが可能になるため、表示手段の制御を簡略化することができると共に、表示画面の煩雑さがなくなる。
【００７３】
また、本発明にかかる撮像装置（請求項８）によれば、演算結果の被写体距離と実際の被写体距離とを比較し、両者の距離が一致したときに使用者に適正状態であることを知らせることにより、表示手段の一定領域に被写体を合わせる際に距離情報から適正状態になったことを知らせることが可能になるため、操作性が向上する。
【００７４】
また、本発明にかかる撮像装置（請求項９）によれば、演算結果の被写体距離と実際の被写体距離とを比較し、両者の距離が不一致の場合、当該距離のずれた方向を使用者に知らせることにより、表示手段の一定領域に被写体を合わせる際に距離情報からカメラをどのように動かしたらよいかを伝えることが可能になるため、使用者が的確な撮影状態で撮影することができる。
【図面の簡単な説明】
【図１】本発明の実施の形態にかかる撮像装置の構成を示すブロック図である。
【図２】ＤＳＰ・ＪＰＥＧ部において、カメラ信号処理を行なう構成を示すブロック図である。
【図３】ストロボ撮影時の光量分布を示す説明図である。
【図４】ＡＧＣによって撮像データを補正する場合に使用される補正テーブルを示す説明図である。
【図５】ＡＧＣにおいて撮像データを補正する場合の処理を示すフローチャートである。
【図６】ＤＳＰ・ＪＰＥＧ部において撮像データを補正する場合の処理を示すフローチャートである。
【図７】ある撮影距離におけるストロボ撮影の配光分布の状態と、レンズ焦点距離ワイド（Ｗ）とテレ（Ｔ）の撮影画面の状態を示す説明図である。
【図８】図７（ａ）、（ｂ）それぞれに対応し、ワイド画面とテレ画面に対応した水平一ラインの輝度信号Ｙとの関係を示すグラフである。
【図９】一定サイズを画面いっぱいに撮影する場合におけるレンズ焦点距離と撮影距離の関係を示す説明図である。
【図１０】本発明の実施の形態にかかる第１の動作例を示すフローチャートである。
【図１１】本発明の実施の形態にかかる第２の動作例を示すフローチャートである。
【図１２】本発明の実施の形態にかかる第３の動作例を示すフローチャートである。
【図１３】本発明の実施の形態にかかる第４の動作例を示すフローチャートである。
【図１４】一定領域の表示例と適正／不適正の状態例を示す説明図である。
【符号の説明】
１００  レンズ
１０１  自動フォーカス部
１０２  ＣＣＤ
１０３  フロントエンド表示部
１０４  ＤＳＰ・ＪＰＥＧ部
１０７  ＥＥＰＲＯＭ
１０８  ストロボ
１０９  ＣＰＵ
１２０  表示部
【図１】
0003920660.tif 000002
【図２】
0003920660.tif 000003
【図３】
0003920660.tif 000004
【図４】
0003920660.tif 000005
【図５】
0003920660.tif 000006
【図６】
0003920660.tif 000007
【図７】
0003920660.tif 000008
【図８】
0003920660.tif 000009
【図９】
0003920660.tif 000010
【図１０】
0003920660.tif 000011
【図１１】
0003920660.tif 000012
【図１２】
0003920660.tif 000013
【図１３】
0003920660.tif 000014
【図１４】
0003920660.tif 000015